(57)【要約】【課題】  フィルターを能率よく洗浄でき、浴槽湯及び配管内を清潔に保ち、製作経費を節減する循環式入浴装置を提供すること。【解決手段】  入浴装置２４に設けられる循環機構４に、ポンプ１８と、フィルター５と、フィルター５に配管６を変更する変更管路７と、フィルター５の下流の配管６に下流循環バルブ２１とが設けられ、変更管路７を開け下流循環バルブ２１を閉めると、配管経路が変更され、該変更した配管６を流通する湯でフィルター５を洗浄するものであり、前記フィルター５を遠心濾過機能付フィルター８とし、前記変更管路７を遠心濾過機能付フィルター８に設けられた排水弁１０としてなる循環式入浴装置である。【選択図】  図１
2010069029.tif 000002
【特許請求の範囲】
【請求項１】
入浴装置２４に設けられる循環機構４に、ポンプ１８と、フィルター５と、フィルター５に配管６を変更する変更管路７と、フィルター５の下流の配管６に下流循環バルブ２１とが設けられ、変更管路７を開け下流循環バルブ２１を閉めると、配管経路が変更され、該変更した配管６を流通する湯でフィルター５を洗浄するものであり、
前記フィルター５を遠心濾過機能付フィルター８とし、前記変更管路７を遠心濾過機能付フィルター８に設けられた排水弁１０としてなる循環式入浴装置。
【請求項２】
循環機構４の循環作動を開始する循環スイッチ９と、循環機構４の循環作動を停止する循環停止スイッチ３８と、排水弁１０を制御する排水弁タイマー１１とが付加設置され、
循環スイッチ９からの指示信号で、又は循環停止スイッチ３８からの指示信号で、排水弁１０は、排水弁タイマー１１で設定した所定時間開くと共に、下流循環バルブ２１は、排水弁タイマー１１で設定した所定時間閉まり、湯が遠心濾過機能付フィルター８から排水弁１０へ流通し、その湯で遠心濾過機能付フィルター８が洗浄されることを特徴とする請求項１記載の循環式入浴装置。
【請求項３】
フィルター５のごみ溜まりを判別する判別器１５が付加設置され、判別器１５からの指示信号で、排水弁１０は、排水弁タイマー１１で設定した所定時間開くと共に、下流循環バルブ２１は、排水弁タイマー１１で設定した所定時間閉まり、湯が遠心濾過機能付フィルター８から排水弁１０へ流通し、その湯で遠心濾過機能付フィルター８が洗浄されるものであることを特徴とする請求項１記載の循環式入浴装置。
【請求項４】
入浴装置２４は、浴槽２と貯湯槽３とでなり、循環機構４は浴槽２の湯を貯湯槽へ循環させるものであり、浴槽２の湯はその全量を循環機構４で移動するべく処理するがその移動するごとにフィルター５が自動的に洗浄され、フィルター５の目詰まりを解消できることを特徴とする請求項１又は２記載の循環式入浴装置。
【請求項５】
入浴装置２４の外筐１６に、フィルター５のごみ溜まり状況を目視でき且つ離脱して取り出せるメンテ窓１７を設けたことを特徴とする請求項１乃至請求項４のいずれかに記載の循環式入浴装置。
【請求項６】
浴槽２の湯を貯湯槽３へ移動する時、少し残った状態でポンプ１８を停止し、続いて、残った水を浴槽排水弁４８を開けて排水し、この浴槽排水と同時にフィルター５の排水弁１０も開いて、フィルター５及び配管６の残水も排水することを特徴とする請求項１乃至請求項５のいずれかに記載の循環式入浴装置。
【発明の詳細な説明】
【技術分野】
【０００１】
本発明は、身体障害者及び高齢者（以下、要介護者）、特に要介護度の低い要介護者の自立入浴を可能とした循環式入浴装置に関するものである。
【背景技術】
【０００２】
従来装置の特許文献１のものは、浴槽または貯湯槽の湯を、循環、殺菌するものである。
浴槽から貯湯槽へ湯が移動する管路にフィルターが設けられており、該フィルターの逆洗が開示されている。
【特許文献１】特許３００７５３０号掲載公報
【発明の開示】
【発明が解決しようとする課題】
【０００３】
特許文献１に記載された構成では、フィルターの逆洗ができるが、フィルターの洗浄に使った管路を給湯にも使うので、清潔さが不完全である。
又、フィルターの出入り口の両方に３方弁が必要であり、この構成は複雑であり、製作コストが高くつくものである。
【０００４】
本発明は、これらの諸問題点を解決すべくなされたものであってその目的は、フィルターを能率よく洗浄でき、浴槽湯及び配管内を清潔に保ち、製作経費を節減する循環式入浴装置を提供するものである。
【課題を解決するための手段】
【０００５】
上記目的を実現する本発明は、入浴装置２４に設けられる循環機構４に、ポンプ１８と、フィルター５と、フィルター５に配管６を変更する変更管路７と、フィルター５の下流の配管６に下流循環バルブ２１とが設けられ、変更管路７を開け下流循環バルブ２１を閉めると、配管経路が変更され、該変更した配管６を流通する湯でフィルター５を洗浄するものであり、前記フィルター５を遠心濾過機能付フィルター８とし、前記変更管路７を遠心濾過機能付フィルター８に設けられた排水弁１０としてなる循環式入浴装置である。
又、循環機構４の循環作動を開始する循環スイッチ９と、循環機構４の循環作動を停止する循環停止スイッチ３８と、排水弁１０を制御する排水弁タイマー１１とが付加設置され、循環スイッチ９からの指示信号で、又は循環停止スイッチ３８からの指示信号で、排水弁１０は、排水弁タイマー１１で設定した所定時間開くと共に、下流循環バルブ２１は、排水弁タイマー１１で設定した所定時間閉まり、湯が遠心濾過機能付フィルター８から排水弁１０へ流通し、その湯で遠心濾過機能付フィルター８が洗浄される。
更に、フィルター５のごみ溜まりを判別する判別器１５が付加設置され、判別器１５からの指示信号で、排水弁１０は、排水弁タイマー１１で設定した所定時間開くと共に、下流循環バルブ２１は、排水弁タイマー１１で設定した所定時間閉まり、湯が遠心濾過機能付フィルター８から排水弁１０へ流通し、その湯で遠心濾過機能付フィルター８が洗浄されるものである。
更に又、入浴装置２４は、浴槽２と貯湯槽３とでなり、循環機構４は浴槽２の湯を貯湯槽へ循環させるものであり、浴槽２の湯はその全量を循環機構４で移動するべく処理するがその移動するごとにフィルター５が自動的に洗浄され、フィルター５の目詰まりを解消できる。
又、入浴装置２４の外筐１６に、フィルター５のごみ溜まり状況を目視でき且つ離脱して取り出せるメンテ窓１７を設けた。
更に、浴槽２の湯を貯湯槽３へ移動する時、少し残った状態でポンプ１８を停止し、続いて、残った水を浴槽排水弁４８を開けて排水し、この浴槽排水と同時にフィルター５の排水弁１０も開いて、フィルター５及び配管６の残水も排水する。
【発明の効果】
【０００６】
本発明は、入浴装置２４に設けられる循環機構４に、フィルター５と、フィルター５に配管を変更する変更管路７とが設けられ、変更管路７を開けて配管を変更し、該変更した配管６を流通する湯でフィルター５を洗浄するものであり、前記フィルター５を遠心濾過機能付フィルター８とし、前記変更管路７を遠心濾過機能付フィルター８に設けられた排水弁１０としてなるから、遠心濾過機能付フィルター８のごみを、能率よく、除去、洗浄でき、浴槽２の湯を清潔にでき、好都合である。
又、遠心濾過機能付フィルター８の洗浄時の配管が、通常使用時の配管６と異なるので、洗浄に使用した水が給湯用の配管６に入らず、清潔であり、好都合である。
【０００７】
又、遠心濾過機能付フィルター８周辺の配管６の製作が楽であり、又、製作時に、フィルター５の周辺に使用する弁の個数が従来装置に比して少なく、経費削減になり、好都合である。
又、遠心濾過機能付フィルター８及びこれにつながる配管の残留水を排水弁１０で排水でき、それ故に配管６を清潔に維持でき、好都合である。
【０００８】
又、循環作動の開始の循環スイッチ９の指示で、排水弁１０は、排水弁タイマー１１で設定した所定時間開き、遠心濾過機能付フィルター８を洗浄するものであるから、循環作動のたびごとにフィルター５を洗浄し、確実にごみを除去でき、フィルター５の機能が十分に発揮でき、好都合である。
【０００９】
又、本発明に係る判別器１５はフィルター５のごみ溜まり状況を判別するものであり、この判別器１５の指示信号で、遠心濾過機能付フィルター８を洗浄するものであるから、確実にごみを除去でき、清潔な湯を移動でき、好都合である。
【００１０】
又、本発明は、浴槽２の湯はその全量を循環機構４で移動するべく処理するがその移動するごとにフィルター５が自動的に洗浄されるから、フィルター５のごみ溜まりを解消でき、好都合である。
又、湯の全量を移動するものであるから、移動に掛かる時間もほぼ一定であるから、フィルター５の目詰まり状況も時間経過状況から分かり、フィルター５の交換時期が分かり、好都合である。
【００１１】
入浴装置２４の外筐１６に、フィルター５のごみ溜まり状況や目詰まり状況を目視できるメンテ窓１７を設けたから、フィルター５の取り出し点検・清掃や取り替え等の保守作業を行ない易く、好都合である。
【００１２】
本発明は、入浴装置２４を使用後に、浴槽２の湯を排水する時、該排水と同時にフィルター５の排水弁１０も開いてフィルター５内の残水を排水するものであるから、フィルター５で発生し易い雑菌を、排水により発生させないようにでき、湯を清潔に安全に維持でき、安心して快適な入浴ができ、好都合である。
【００１３】
又、毎回の使用時に、浴槽２の底部に少し残った湯水を廃棄するものであるから、湯の汚れを排除でき、好都合である。
又、電源スイッチ４６を切った時に、排水弁１０が開き、配管６及びフィルター５内の残水を排水するものであるから、フィルター５内の雑菌発生を防ぐことができ、好都合である。
【発明を実施するための最良の形態】
【００１４】
フィルター５を能率よく洗浄でき、浴槽湯及び配管内を清潔に保ち、製作経費を節減する循環式入浴装置１を提供するという目的を、入浴装置２４に設けられる循環機構４に、ポンプ１８と、フィルター５と、フィルター５に配管６を変更する変更管路７と、フィルター５の下流の配管６に下流循環バルブ２１とが設けられ、変更管路７を開け下流循環バルブ２１を閉めると、配管経路が変更され、該変更した配管６を流通する湯でフィルター５を洗浄するものであり、前記フィルター５を遠心濾過機能付フィルター８とし、前記変更管路７を遠心濾過機能付フィルター８に設けられた排水弁１０としてなる循環式入浴装置をもって、実現した。
【実施例１】
【００１５】
以下、図面を参照しつつ本発明の実施例１を説明する。図１乃至図６に本発明の実施例１を示す。図１は、配管系統図、図２は、詳細な配管系統図、図３は、ブロック図、図４は扉２７を所定下方位置に移動させた状態の循環式入浴装置１を示す正面図、図５は循環式入浴装置１の左側面図、図６は循環式入浴装置１の平面図である。
【００１６】
図１に示す循環式入浴装置１は、入浴装置２４に循環機構４を接続して設けてなる。
循環機構４に、ポンプ１８と、フィルター５と、下流循環バルブ２１とが配管６をもって順次接続して循環経路が構成される。
フィルター５に、配管６の循環径路を変更する変更管路７が設けられる。変更管路７には排水弁１０が設けられる。変更管路７は、配管６に通水中に、該変更管路７の排水弁１０を開けて配管経路を変更すると、配管６を通水している水によって、フィルター５が洗浄されるものである。ポンプ１８の作動で配管６への湯水は流通する。
前記フィルター５を遠心濾過機能付フィルター８とし、前記変更管路７を遠心濾過機能付フィルター８に設けられた排水弁１０としてなる。
循環機構４には、浴槽２と貯湯槽３とを連通接続する循環機構４の存在下で、浴槽２に第２循環機構を設けて浴槽２の貯湯だけを取り出し循環させる構成も有り、又、貯湯槽３に第３循環機構を設けて貯湯槽３の貯湯だけを取り出し循環させる構成も有る。前記変更管路７は、前記第２循環機構、及び、前記第３循環機構に設けることも可能である。
【００１７】
図２に示す配管系統図は、入浴装置２４を、浴槽２と、貯湯槽３と、浴槽２及び貯湯槽３に接続されて湯を循環させる循環機構４と、貯湯槽３へ新湯を供給する貯湯配管２６で構成される。
貯湯槽３と浴槽２の間に接続される配管６及び往ポンプ３２は、貯湯槽３から浴槽２へ湯を移動させるものである。
浴槽２と貯湯槽３の間に接続される配管６、ポンプ１８及びフィルター５は、浴槽２から貯湯槽３へ湯を移動し、循環させるものである。
【００１８】
図３に示す循環電気回路は、浴槽２、または貯湯槽３、または浴槽２及び貯湯槽３の貯湯を循環させるための構成に係る電気回路である。
循環スイッチ９は、配管６に貯湯を注ぎ入れ湯を循環を開始させるスイッチである。循環スイッチ９をオンすると、上流循環バルブ２０が開き、ポンプ１８が駆動し、排水弁タイマー１１に加電する。
【００１９】
排水弁タイマー１１は、循環スイッチ９がオンした時、循環スイッチ９の指示信号に基づき所定時間を計数するものであり、循環スイッチ９がオンした時点から所定時間（実施例１では５乃至１０秒間）だけ排水弁１０に通電して該排水弁１０を開け、下流循環バルブ２１に停電して該下流循環バルブ２１を閉じるものである。この状態下で、浴槽２から配管６を通って来る湯水が排水弁１０から排水されるが、フィルター５を通過する湯水によって該フィルター５が洗浄される。
フィルター５は実施例１では遠心濾過機能付フィルター８である。遠心濾過機能付フィルター８は、円管形状のメッシュフィルターを円筒カバーの内部に設け流路を切り替えることで円筒カバー内部に渦状の流れを形成してメッシュフィルター表面のごみを取り除く様、内部形状が形成されたフィルターであって、前記変更管路７（＝排水弁１０）は縦状に設置した遠心濾過機能付フィルター８の下端に設けられている。
排水弁タイマー１１は、所定時間を経過した後は、排水弁１０に停電して該排水弁１０を閉じ、下流循環バルブ２０に通電して該下流循環バルブ２０を開ける。この状態下では、浴槽２から流出した湯水は配管６を通って貯湯槽３へ移動する。
貯湯槽３を発端にして浴槽２に移動していた湯水は、貯湯槽３に戻り、循環する。
【００２０】
図３に示す入浴装置２４は、浴槽２と貯湯槽３とでなり、循環機構４は浴槽２の全湯を貯湯槽へ循環させるものである。
浴槽２の湯はその全量を循環機構４で移動するべく処理するがその移動するごとにフィルター５が洗浄され、フィルター５の目詰まりを解消できる。
【００２１】
浴槽２の湯を貯湯槽３へ移動する時、少し残った状態でポンプ１８を停止し、続いて、残った水を浴槽排水弁４８を開けて排水し、この浴槽排水と同時にフィルター５の排水弁１０も開いて、フィルター５及び配管６の残水も排水するものである。
又、入浴装置２４を使用後、及び、電源スイッチ４５を切った時も、フィルター５の排水弁１０は開き、浴槽２の湯を排水すると共に、フィルター５及び配管６の残水を排水する。
【００２２】
又、入浴装置２４には、変更管路７から排水される水の量を測る排水流量計３３と、入浴装置２４に新湯を供給する貯湯配管２６とが付加設置される。
変更管路７を通って排水された湯の量と同量の湯を貯湯配管２６から入浴装置２４へ自動で追加供給する。
【００２３】
尚、フィルター５を洗浄する構成の他の例では、排水弁タイマー１１のカウント時間だけ排水弁１０が開き配管経路が変更されたが、排水弁タイマー１１に代わって、循環スイッチ９の出力信号とセンサースイッチ３１の組み合わせで、所定時間配管経路を変更できる。即ち、循環スイッチ９のオン信号で排水弁１０が開き配管経路を変更しフィルター５を洗浄し、センサースイッチ３１からの作動信号を得ると排水弁１０を閉じ配管経路を元に戻す。
又、別の他の例では、排水弁タイマー１１に代わって、循環停止スイッチ３８の出力信号とセンサースイッチ３１の組み合わせで、所定時間配管経路を変更することもできる。
又、更に別の他の例では、循環スイッチ９のオン信号で排水弁１０が開き、配管経路を変更しフィルター５を洗浄する。排水弁１０から一定の湯量が流れ出たら、排水弁１０は流量計１３の出力信号を得て閉じ、配管経路を元に戻し、フィルター５の洗浄を終わる。
又、排水弁タイマー１１へ信号を付与する部材に係る他の構成として、センサースイッチ３１がある。
センサースイッチ３１から指示信号が排水弁タイマー１１へ入ると、排水弁タイマー１１は時間をカウントを開始する。
センサースイッチ３１は、浴槽２に設けられ、その浴槽２の貯湯が少量になった時にオンするスイッチ（具体例では浴槽２の下位に設置されたフロートスイッチ）である。
水位が下がって、センサースイッチ３１がオンすると、ポンプ１８はそのまま駆動し、排水弁タイマー１１が始動し、排水弁１０に通電して該排水弁１０を開け、下流循環バルブ２０に停電して該下流循環バルブ２０を閉じる。
浴槽２の貯湯は、配管６を通ってフィルター５に至り、フィルター５を洗浄しつつ排水される。
【００２４】
又、排水弁タイマー１１へカウント開始させるように信号を付与する部材に係る更に他の構成としては、循環停止スイッチ３８がある。
循環停止スイッチ３８からの指示信号が排水弁タイマー１１を作動させる。
排水弁タイマー１１は、循環停止スイッチ３８がオンした時、循環停止スイッチ３８の指示信号に基づき所定時間を計数するものであり、循環停止スイッチ３８がオンした時から所定時間（実施例１では５秒間）だけ排水弁１０に通電して該排水弁１０を開け、下流循環バルブ２１に停電して該下流循環バルブ２１を閉じるものである。配管６を通っている水が、排水弁１０から排水されフィルター５を洗浄する。所定時間を経過した後は、排水弁１０を閉じ、下流循環バルブ２０を開くが、ポンプ１８は停止し、湯水の循環を停止する。
【００２５】
図４に示す循環式入浴装置１全体の外観形状は略直方体状をなしており、循環式入浴装置１は、入浴装置２４に循環機構４を設けてなる。
循環式入浴装置１は、浴槽２と、貯湯槽３と、該浴槽２の一方長辺側の側面（浴槽２の後面）に併設配置されるとともにポンプ１８及び配管６等からなる循環機構４とを主たる構成要素としている。貯湯槽３は浴槽２へ供給する湯水を貯湯するものであり、循環機構４を介して浴槽２と連通接続される。
【００２６】
入浴装置２４に係る浴槽２の正面は、開口部３５を有する略直方体状の樹脂製またはステンレス製の容器から構成される。
【００２７】
貯湯槽３は、図５に示すように浴槽２後面側において支持フレーム３４にて支持されている。
【００２８】
そして、浴槽２の開口部３５の前方側には、この開口部３５を水密に閉塞可能とする扉２７が、扉移動手段３０によって、所定上方位置と所定下方位置の区間を往復移動するように設けられている。
【００２９】
側壁面３６に面する側の扉面（後面）に略逆台形状に軟質ゴム素材でなるシール部材３７が貼着されている。
【００３０】
浴槽２の外筐１６に、フィルター５のごみ溜まり状況を目視でき、フィルター５容易に離脱でき取り出せるメンテ窓１７が設けられる。
【００３１】
扉移動手段３０は、扉２７を側壁面３６に沿う方向に所定上方位置と所定下方位置の区間において往復移動させるものである。
扉２７と扉移動手段３０を連結するとともに扉移動手段３０によって扉２７が所定上方位置に移動された後、扉２７を開口部３５周縁の側壁面３６に対して略直交方向に押圧移動する。このことによって開口部３５を扉２７で水密に閉塞するものである。
【００３２】
リンク片２９・２９は、移動部材２８の前方側に軸着されている。上下のリンク片２９・２９は、四節平行リンクを形成し扉２７と移動部材２８を連結している。
【００３３】
扉２７が所定下方位置にある時、扉２７後面のシール部材３７と側壁面３６とは接触しておらず、扉２７と側壁面３６とが一定距離を保って互いに平行状に離間している。
【００３４】
図４に示す扉２７が所定下方位置にある時、扉移動手段３０は収縮状態となっている。
この扉移動手段３０を伸長する方向に作動させると、移動部材２８が上方に移動する。
この移動に伴って上下のリンク片２９を介して移動部材２８と連結された扉２７が側壁面３６と一定距離を有する平行状態を保ちながら側壁面３６に沿って上方へ移動することになる。
【００３５】
前記扉２７が所定上方位置に到達した以後も扉移動手段３０の伸長作動は継続する為、移動部材２８は更に上方へ移動を行ない続ける。
即ち、移動部材２８が扉２７に対して相対的に上方へ移動する。この移動部材２８の上方移動により、扉２７全体が側壁面３６に対して直交する方向に押圧移動され、開口部３５が扉２７で水密に閉塞される。
【００３６】
逆に、図４に示す扉２７を下方へ移動させるには伸長状態にある扉移動手段３０を収縮する方向に作動させればよい。
扉移動手段３０を収縮作動させると、四節平行リンクが作用し扉２７が側壁面３６との平行状態を保ちながら、側壁面３６から一定距離だけ離間する方向へ移動する（閉塞状態が開放され、図５に示す状態に移行する）。
【００３７】
浴槽２の上縁面には、循環式入浴装置１の電源スイッチ４５の他、前記扉２７の上方への移動及び下方への移動の開始を指示する扉移動スイッチ４６や貯湯槽３から浴槽２への湯水の貯湯開始を指示する循環スイッチ９等の各種スイッチ、浴槽２内の湯温を表示する湯温表示部４７等が装備される操作部１９（図６参照）が設けられている。
尚、図３に示す２２は循環給湯スイッチ、２３は循環給湯バルブ、図２に示す２５は薬液タンク、４０は新湯給湯弁、４１は新湯流量計、４２は制御器、４３は温度センサー、４４は温度設定器である。
【００３８】
次に、実施例１の循環式入浴装置１の使用方法について説明する。
扉２７は所定上方位置に移動しており、貯湯槽３内には所定容量の湯水が貯湯された状態にあるものと仮定する。
介護者は電源スイッチ４８をオンにした後、扉移動スイッチ４６を押下し扉２７を所定下方位置にまで移動させ開扉する。
シャワーチェア等の搬送機器（図示省略）に着座した要介護者を開口部３５の近傍位置に導く。
【００３９】
扉２７が所定下方位置にあるとき、扉２７下方面部が上方面部に対して浴槽２後方に位置する傾斜勾配状となるので、扉２７が鉛直上下方向に位置する場合に比して、要介護者或いは介護者が浴槽２により接近した状態で要介護者の補助作業を行えることになる。
【００４０】
要介護度の低い、例えば、要介護度が１の要介護者は、開口部３５から浴槽２の内底面１８へ自力で移乗する。
また、要介護度が３以上の要介護度が高い要介護者の場合は、介護者の補助を受けながら内底面１８へ移乗すればよい。
【００４１】
この時、扉２７の上面近傍部は内底面の上方へ突出していないので、要介護者の移乗動作や介護者の補助作業の妨げになることはない。
また、床面から内底面前端部までの高さを搬送機器の座面と略同等の高さに設定しているので、要介護者は搬送機器から内底面への移乗に著しい労力を伴うことなく、容易に移乗が行える。
【００４２】
要介護者が浴槽１内に完全に入ったことを確認した後、介護者は扉移動スイッチ４６を押下し、扉２７を所定上方位置にまで移動させ閉める。
扉移動手段３０によって扉２７が所定上方位置に至った後、扉２７は側壁面３６に対して略直交する方向に押圧移動し開口部３５を水密に閉塞する。
介護者は扉移動スイッチ４６を押下するという極めて容易な操作のみで開口部３５を水密に閉塞でき、介護者の扉移動に係る操作負担は極めて少ないものである。
【００４３】
循環給湯スイッチ２２を押下し、給湯する。即ち、往ポンプ３２の作動を開始し貯湯槽３内に予め貯湯している湯水を浴槽２へ供給移動する。
浴槽２内の上方に設けられるセンサースイッチ３１がオンとなると自動的に湯水の供給移動が停止される。
要介護者を入浴させる。
要介護者を退浴させる場合は、循環スイッチ９を押し、浴槽２内の湯水を貯湯槽３へ移動させる。浴槽２内の湯水を空にする。
【００４４】
浴槽２の湯を貯湯槽３へ移動循環させる循環機構４の作用は、循環スイッチ９を押すと、排水弁タイマー１１と上流循環バルブ２０とポンプ１８とが作動する。
変更管路７（具体例では排水弁１０）が開き、下流循環バルブ２１が閉まる。
配管経路が、循環経路から洗浄経路に変更される。該変更した配管６を流通する湯でフィルター５（具体例では遠心濾過機能付フィルター８）を洗浄する。
【００４５】
詳しくは、循環スイッチ９からの指示信号で、排水弁１０は、排水弁タイマー１１で設定した所定時間開くと共に、下流循環バルブ２１は、排水弁タイマー１１で設定した所定時間閉まり、湯が遠心濾過機能付フィルター８から排水弁１０へ流通する時、この湯で遠心濾過機能付フィルター８が洗浄される。
【００４６】
他の例では、センサースイッチ３１からの指示信号で、排水弁１０は、開くと共に、下流循環バルブ２１は、閉まり、湯が遠心濾過機能付フィルター８から排水弁１０へ流通する時、この湯で遠心濾過機能付フィルター８が洗浄される。
又別の他の例では、循環停止スイッチ３８からの指示信号で、排水弁１０は、排水弁タイマー１１で設定した所定時間開くと共に、下流循環バルブ２１は、排水弁タイマー１１で設定した所定時間閉まり、湯が遠心濾過機能付フィルター８から排水弁１０へ流通する時、この湯で遠心濾過機能付フィルター８が洗浄される。所定時間が経過するとポンプ１８は停止する。
【００４７】
又、入浴装置２４の外筐１６に設けたメンテ窓１７から、フィルター５のごみ溜まり状況を目視する。フィルター５にごみが溜まったのを確認すると、メンテ窓１７から、フィルター５を取り出し、清掃、洗浄、取り替え、或いは適宜なメンテナンスを行なう。
循環機構４は浴槽２の全湯を貯湯槽へ循環させる。浴槽２の湯はその全量を循環機構４で移動するべく処理するがその移動するごとにフィルター５が洗浄され、フィルター５の目詰まりを解消できる。
【００４８】
フィルター５が洗浄される時、湯水が少量廃棄される。変更管路７を通って排水された湯の量と同量の湯を、貯湯配管２６から入浴装置２４へ自動で追加供給し、入浴装置２４は一定湯量を保持する。
【００４９】
浴槽２の湯を貯湯槽３へ移動する時、少し残った状態でポンプ１８を停止し、続いて、残った水を浴槽排水弁４８を開けて排水し、この浴槽排水と同時にフィルター５の排水弁１０も開いて、フィルター５及び配管６の残水も排水する。
又、入浴装置２４を使用後、及び、電源スイッチ４５を切った時も、フィルター５の排水弁１０は開き、浴槽２の湯を排水すると共に、フィルター５及び配管６の残水を排水する。
【００５０】
浴槽２に設けられる下位のセンサースイッチ３１が浴槽２内へ残水がない旨を検知した後、扉２７の下方移動が開始され、扉２７は開けられる。
【００５１】
要介護者は自力、または介護者の補助を受けながら退浴し、搬送機器に移乗し、入浴を完了する。
【実施例２】
【００５２】
図７に示す実施例２は、実施例１に係る排水弁タイマー１１にカウント開始信号を与える循環スイッチ９を判別器１５に代え、判別器１５の出力信号で排水弁タイマー１１にカウント開始信号を与えるようにしたものである。即ち、実施例２では、判別器１５の指示信号を得て排水弁タイマー１１が始動する。
【００５３】
フィルター５の上流側の配管６に、水圧を測定する圧力計１２と、配管６の流量を測る流量計１３とを順次接続する。圧力計１２及び流量計１３の出力を、フィルター５のごみの溜まり具合を判別する判別器１５へ入力接続・入力し、判別器１５の出力を、排水弁１０及び上流循環バルブ２０へ接続する。
【００５４】
配管６に通水中に、配管６の圧力が所定の閾値を超えた時に、又は、配管６の流量が所定の閾値より減った時に、圧力計１２又は流量計１３の出力値を基に判別器１５はフィルター５にごみが溜まったことを判別し、排水弁タイマー１１に指示信号を与える。
排水弁タイマー１１は、判別器１５の指示信号に基づき所定時間を計数するものであり、判別器１５の指示信号を得た時から所定時間（実施例２では５秒間）だけ排水弁１０に通電して該排水弁１０を開け、上流循環バルブ２０に停電して該上流循環バルブ２０を閉じるものである。
排水弁タイマー１１は、所定時間を経過した後は、排水弁１０に停電して該排水弁１０を閉じ、上流循環バルブ２０に通電して該上流循環バルブ２０を開ける。
【実施例３】
【００５５】
図８に示す実施例３は、実施例２に係る判別器１５へ信号与える圧力計１２及び流量計１３を、時間計数器１４に代えたものである。即ち、実施例３では、時間計数器１４の出力に基づいて判別器１５はフィルター５のごみ溜まりを判別する。
【００５６】
時間計数器１４は、貯湯槽３に全量の湯が入る時間を測るものである。センサースイッチ３１は、浴槽２に設けられ、貯湯槽３に浴槽２の湯が全て入った時に作動するものであり、該作動に係る出力信号が時間計数器１４に入り、その時、時間計数器１４は時間の測定を終わる。
【００５７】
配管６に通水中に、貯湯槽３に浴槽２の全量の湯が入ると、その貯湯に掛かった時間を時間計数器１４が測定する。
時間計数器１４の出力値に基づいて判別器１５はフィルター５にごみが溜まったことを判別する。
前記測定値が所定の所要時間を超えると判別器１５はフィルター５にごみが溜まったと判別し、排水弁タイマー１１に指示信号を与える。
【産業上の利用可能性】
【００５８】
本発明は、入浴装置２４に設けられる循環機構４に、フィルター５と、フィルター５に配管を変更する変更管路７とが設けられ、変更管路７を開けて配管を変更することによってフィルター５を洗浄する循環式入浴装置に、適用できる。
尚、本発明は、図４乃至６に示す浴槽に限定されるものではなく、車椅子用入浴装置、昇降式入浴装置、その他の入浴装置にも実施できる。
【図面の簡単な説明】
【００５９】
【図１】本発明の実施例１の配管系統図である。
【図２】本発明の実施例１、２の具体化した配管系統図である。
【図３】本発明の実施例１を示すブロック図である。
【図４】本発明の実施例１の正面図である。
【図５】本発明の実施例１の左側面図である。
【図６】本発明の実施例１の平面図である。
【図７】本発明の実施例２を示すブロック図である。
【図８】本発明の実施例３を示すブロック図である。
【符号の説明】
【００６０】
１    循環式入浴装置
２    浴槽
３    貯湯槽
４    循環機構
５    フィルター
６    配管
７    変更管路
８    遠心濾過機能付フィルター
９    循環スイッチ
１０    排水弁
１１    排水弁タイマー
１２    圧力計
１３    流量計
１４    時間計数器
１５    判別器
１７    メンテ窓
１８    ポンプ
２１    下流循環バルブ
２４    入浴装置
２６    貯湯配管
３１    センサースイッチ
３３    排水流量計
３８    循環停止スイッチ
４８    浴槽排水弁
【図１】
2010069029.tif 000003
【図２】
2010069029.tif 000004
【図３】
2010069029.tif 000005
【図４】
2010069029.tif 000006
【図５】
2010069029.tif 000007
【図６】
2010069029.tif 000008
【図７】
2010069029.tif 000009
【図８】
2010069029.tif 000010